(57)【要約】【課題】映像を複数の装置で記録する際に、同期して映像を記録できるようにする。【解決手段】ビデオカメラ２０は、ビデオテープ８０に対する映像の記録開始前に、映像の記録開始タイミング情報、例えば映像記録開始までのフレーム数を示す情報を、例えばＨＤ−ＳＤＩ信号のブランキング期間に多重されるタイムコード情報のユーザビット領域を利用して多重してレコーダ３０に出力する。レコーダ３０は、多重されている記録開始タイミング情報に基づき記録準備を行う。その後、レコーダ３０は、ビデオカメラ２０でビデオテープ８０に対する映像の記録開始に同期させてメモリカード８５に対する映像の記録を開始させて、ビデオテープ８０に記録された映像と等しい映像をメモリカード８５に記録させる。【選択図】        図１
2012151795.tif 000002
【特許請求の範囲】
【請求項１】
映像を記録媒体に記録する記録処理部と、
前記映像の出力を行う出力処理部と、
前記記録処理部での前記記録媒体に対する映像の記録開始前に、該映像の記録開始タイミング情報を前記出力処理部から出力する前記映像に多重する制御部と
を備える映像記録装置。
【請求項２】
前記記録開始タイミング情報は、前記映像の記録開始までの期間を示す情報である請求項１記載の映像記録装置。
【請求項３】
前記記録開始タイミング情報は、時間の経過とともに更新される映像記録開始までのフレーム数を示す情報である請求項２記載の映像記録装置。
【請求項４】
前記記録開始タイミング情報は、映像の記録を行うための準備状態であること示す情報を含む請求項１記載の映像記録装置。
【請求項５】
前記出力処理部は、前記映像の出力において、シリアルディジタルインタフェース規格の映像信号を出力する請求項１記載の映像記録装置。
【請求項６】
前記制御部は、前記記録開始タイミング情報を前記映像信号のブランキング期間に多重する請求項５記載の映像記録装置。
【請求項７】
前記制御部は、前記ブランキング期間に多重されるタイムコード情報のユーザビット領域を利用して前記記録開始タイミング情報を多重する請求項６記載の映像記録装置。
【請求項８】
前記制御部は、前記記録媒体に対する映像記録終了時に、該映像の記録終了を示す情報を前記出力処理部から出力する前記映像に多重する請求項１記載の映像記録装置。
【請求項９】
前記映像を記録する記録媒体から、該記録媒体に設定されている固有の識別情報を読み出す識別情報読出部をさらに備え、
前記制御部は、前記読み出された識別情報を前記出力処理部から出力する前記映像に多重する請求項１記載の映像記録装置。
【請求項１０】
前記制御部は、前記読み出された識別情報から時分割情報を生成して、該時分割情報を前記出力処理部から出力する前記映像に多重する請求項９記載の映像記録装置。
【請求項１１】
映像を記録媒体に記録する工程と、
前記映像の出力を行う工程と、
前記記録媒体に対する映像の記録開始前に、該映像の記録開始タイミング情報を出力する前記映像に多重する工程と
を含む映像記録制御方法。
【請求項１２】
入力された映像に多重されている該映像を出力した装置における該映像の記録開始タイミング情報を抽出する入力処理部と、
前記入力された映像を記録媒体に記録する記録処理部と、
前記入力処理部で抽出された記録開始タイミング情報に基づき前記記録処理部の動作を制御して、前記映像を出力した装置における映像の記録動作と同期させて、前記入力された映像の前記記録媒体への記録を行わせる制御部と
を備える映像記録装置。
【請求項１３】
入力された映像に多重されている該映像を出力した装置における該映像の記録開始タイミング情報を抽出する工程と、
前記入力された映像を記録媒体に記録する工程と、
前記抽出された記録開始タイミング情報に基づき、前記映像を出力した装置における映像の記録動作と同期させて、前記入力された映像の前記記録媒体への記録を行わせる工程と
を備える映像記録制御方法。
【発明の詳細な説明】
【技術分野】
【０００１】
この技術は、映像記録装置と映像記録制御方法に関する。詳しくは、撮像装置等で映像を記録する際に、該映像を他の映像記録装置で同期して記録できるようにする。
【背景技術】
【０００２】
従来、ビデオカメラ（カムコーダ）で映像を記録する際に、ビデオカメラで記録される映像を他の映像記録装置でも記録することが可能とされている。例えば特許文献１では、代表取材を行う放送局のビデオカメラから記録／記録停止のコマンドを映像に多重して出力することが行われている。このため、他の放送局のビデオテープレコーダでは、映像に多重されているコマンドに基づき動作制御を行うことで、ビデオカメラの記録動作と連動して映像を記録することが可能とされている。なお、代表取材とは、複数の放送局から１つの放送局を幹事局と決め、幹事局のカメラマンがビデオカメラを取材現場に持ち込む。また、他の放送局はビデオテープレコーダを用意しておき、幹事局のカメラマンがビデオカメラで撮影・録画する映像を、他の各放送局のビデオテープレコーダにも分配して記録させる取材方法である。
【先行技術文献】
【特許文献】
【０００３】
【特許文献１】特開２００６−２６２１９４号公報
【発明の概要】
【発明が解決しようとする課題】
【０００４】
ところで、映像に多重されている記録／記録停止のコマンドに基づいて動作制御を行う場合、他の映像記録装置で記録された映像は、ビデオカメラで記録された映像とタイミングが異なる映像となってしまう場合がある。例えばビデオカメラから出力された映像を記録する映像記録装置は、記録開始コマンドの受信に応じて記録動作制御を開始する。したがって、記録開始コマンドの受信から記録媒体に対して映像が実際に記録されるまでに時間を要すると、他の映像記録装置で記録された映像は、ビデオカメラで記録された映像よりも記録開始タイミングが遅れた映像となってしまう。
【０００５】
そこで、この技術では、映像を複数の装置で記録する際に、同期して映像を記録できる映像記録装置と映像記録制御方法を提供することを目的とする。
【課題を解決するための手段】
【０００６】
この技術の第１の側面は、映像を記録媒体に記録する記録処理部と、前記映像の出力を行う出力処理部と、前記記録処理部での前記記録媒体に対する映像の記録開始前に、該映像の記録開始タイミング情報を前記出力処理部から出力する前記映像に多重する制御部とを備える映像記録装置にある。
【０００７】
この技術においては、記録処理部で記録媒体に対する映像の記録開始前に、映像の記録開始タイミング情報、例えば映像の記録開始までの期間を示す情報や時間の経過とともに更新される記録開始までのフレーム数が、シリアルディジタルインタフェース規格の映像信号に多重される。また、記録開始タイミング情報には、映像の記録を行うための準備状態であること示す情報が含められる。記録開始タイミング情報は、映像信号のブランキング期間、例えばブランキング期間に多重されるタイムコード情報のユーザビット領域を利用して多重される。また、記録媒体に対する映像記録終了時には、映像の記録終了を示す情報が多重される。さらに、映像を記録する記録媒体から、この記録媒体に設定されている固有の識別情報が読み出されて、この識別情報から生成した時分割情報が映像に多重される。
【０００８】
この技術の第２の側面は、映像を記録媒体に記録する工程と、前記映像の出力を行う工程と、前記記録媒体に対する映像の記録開始前に、該映像の記録開始タイミング情報を出力する前記映像に多重する工程とを含む映像記録制御方法にある。
【０００９】
この技術の第３の側面は、入力された映像に多重されている該映像を出力した装置における該映像の記録開始タイミング情報を抽出する入力処理部と、前記入力された映像を記録媒体に記録する記録処理部と、前記入力処理部で抽出された記録開始タイミング情報に基づき前記記録処理部の動作を制御して、前記映像を出力した装置における映像の記録動作と同期させて、前記入力された映像の前記記録媒体への記録を行わせる制御部とを備える映像記録装置にある。
【００１０】
この技術の第４の側面は、入力された映像に多重されている該映像を出力した装置における該映像の記録開始タイミング情報を抽出する工程と、前記入力された映像を記録媒体に記録する工程と、前記抽出された記録開始タイミング情報に基づき、前記映像を出力した装置における映像の記録動作と同期させて、前記入力された映像の前記記録媒体への記録を行わせる工程とを備える映像記録制御方法にある。
【発明の効果】
【００１１】
この技術によれば、記録媒体への映像の記録と映像の出力を行う映像記録装置では、記録媒体に対する映像の記録開始前に、映像の記録開始タイミング情報が映像に多重して出力される。また、記録開始タイミング情報が多重された映像が入力される映像記録装置では、多重されている記録開始タイミング情報に基づき、映像を出力した装置における映像の記録動作と同期させて、入力された映像の記録媒体への記録が開始される。このため、映像を複数の装置で記録する際に、同期して映像を記録できるようになる。
【図面の簡単な説明】
【００１２】
【図１】映像記録システムの構成を示す図である。
【図２】ビデオカメラの構成を示す図である。
【図３】レコーダの構成を示す図である。
【図４】ビデオテープとメモリカードに同期させて映像を記録する場合のビデオカメラの動作を示すフローチャートである。
【図５】ビデオテープとメモリカードに同期させて映像を記録する場合のレコーダの動作を示すフローチャートである。
【図６】ＨＤ−ＳＤＩ信号の１ラインのブランキング期間を示す図である。
【図７】時間情報パケットの構造を示す図である。
【図８】ＶＩＴＣの構成を示す図である。
【図９】記録開始から記録終了までの「ＤＡＴＡ２」を例示した図である。
【図１０】ビデオテープの識別情報をＨＤ−ＳＤＩ信号に多重する場合のビデオカメラの動作を示すフローチャートである。
【図１１】識別情報が多重されているＨＤ−ＳＤＩ信号を受信して映像の記録を行うレコーダの動作を示すフローチャートである。
【図１２】識別情報を多重する場合の「ＤＡＴＡ０」「ＤＡＴＡ１」の具体例を示した図である。
【図１３】映像の記録から終了までの動作シーケンスを例示した図である。
【発明を実施するための形態】
【００１３】
以下、本技術を実施するための形態について説明する。なお、説明は以下の順序で行う。
１．映像記録システムの構成
２．ビデオカメラの構成
３．レコーダの構成
４．映像データの記録動作
５．映像の他の記録動作
６．映像の記録から終了までの動作シーケンス例
【００１４】
＜１．映像記録システムの構成＞
図１は、本技術の映像記録装置を用いた映像記録システムの構成を例示している。映像記録システム１０は、ビデオカメラ（カムコーダ）２０とレコーダ３０を有している。ビデオカメラ２０は、装着されている記録媒体例えばビデオテープ８０に映像を記録すると共に記録する映像の出力を行う映像記録装置である。レコーダ３０は、装着されている記録媒体例えばメモリカード８５に、ビデオカメラ２０から出力された映像を記録する映像記録装置である。
【００１５】
また、映像記録システム１０で編集作業を行う場合、例えばビデオテープレコーダ４０と編集装置５０，６０が設けられる。
【００１６】
ビデオテープレコーダ４０は、ネットワーク７０を介して編集装置６０と接続されている。ビデオテープレコーダ４０は、ビデオテープ８０に記録された映像を再生して、ネットワーク７０を介して編集装置６０に供給する。
【００１７】
編集装置５０は、メモリカード８５に記録されている映像を利用して編集処理を行い、映像の選択や合成を行うためのリストデータを生成する。例えばメモリカード８５に記録されている映像を再生してＩＮ点やＯＵＴ点等を決定して、これらの位置等を示すリストデータ、例えばＥＤＬ(Edit Decision List)，ＡＬＥ(AVID Log Exchange)を生成する。また、Ｆｉｎａｌ Ｃｕｔ Ｐｒｏ（商標）によってＸＭＬファイルを生成する。
【００１８】
編集装置６０は、ビデオテープレコーダ４０で再生された映像を用いて、画質補正や色調補正等を行う。さらに、編集装置６０は、編集装置５０で生成されたリストデータに基づき、映像の選択や合成を行い、編集処理後の映像データを生成する。
【００１９】
このように、ビデオカメラ２０は、装着されているビデオテープ８０に映像を記録すると共に記録する映像の出力を行い、レコーダ３０は、ビデオカメラ２０から出力された映像を装着されているメモリカード８５に記録する。このようにすれば、メモリカード８５に記録されている映像を利用したリストデータの生成と、ビデオテープ８０に記録されている映像の補正処理等を並行して行うことが可能となり、編集作業を効率良く行うことができる。
【００２０】
ビデオカメラ２０は、装着されているビデオテープ８０に記録された映像とレコーダ３０に装着されているメモリカード８５に記録される映像を同期させるため、ビデオテープ８０に対する映像の記録開始前に、この映像記録に関する情報を映像に多重して出力する。
【００２１】
レコーダ３０は、映像に多重されている情報に基づきビデオカメラ２０での映像の記録動作と同期させて、入力された映像の記録媒体への記録を開始して、ビデオカメラ２０とレコーダ３０で同期して映像の記録を行う。
【００２２】
＜２．ビデオカメラの構成＞
図２は、ビデオカメラ２０の構成を示している。ビデオカメラ２０は、カメラ部２１、記録再生処理部２２、出力処理部２３、テープ駆動部２４、識別情報読出部２５、制御部２６、操作部２７を有している。
【００２３】
カメラ部２１は、撮像光学系や撮像素子、カメラ信号処理部等で構成されている。カメラ部の撮像光学系は、撮像素子の撮像面上に所望の明るさの光学像を結像させる。撮像素子は光電変換を行い、撮像面上に結像された光学像に応じた撮像信号を生成する。カメラ信号処理部は、撮像信号のノイズ除去やＡ／Ｄ変換、ニー補正やガンマ補正、ホワイトバランス調整等の種々のカメラ信号処理を行い、映像データを生成する。
【００２４】
記録再生処理部２２は、カメラ部２１で生成された映像データ等をビデオテープ８０に記録する記録処理を行う。また、記録再生処理部２２は、ビデオテープ８０に記録されている映像データ等を再生する処理を行う。
【００２５】
出力処理部２３は、カメラ部２１で生成された映像データを、所定フォーマットで出力する。出力処理部２３は、例えばシリアルディジタルインタフェース規格に準拠したＨＤ−ＳＤＩ(Serial Digital Interface)信号として、レコーダ３０に出力する。また、出力処理部２３は、後述する制御部２６から供給された情報をＨＤ−ＳＤＩ信号に多重して出力する。
【００２６】
テープ駆動部２４は、制御部２６から供給された制御信号に基づき、ビデオテープ８０の駆動を行う。また、テープ駆動部２４は、テープ駆動状態を監視して、ビデオテープ８０が所定のテープ走行速度で駆動されている状態となったときロック通知を制御部２６に出力する。さらに、テープ駆動部２４は、ビデオテープ８０が装着されているか否かを検出して検出情報を制御部２６に出力する。
【００２７】
識別情報読出部２５は、ビデオテープ８０に設定されているテープ固有の識別情報を読み出して制御部２６に出力する。例えばビデオテープ８０に、近距離無線通信を行うための非接触ＩＣタグが設けられている場合、識別情報読出部２５は、非接触ＩＣタグと無線通信を行い、ビデオテープ８０に設定されているテープ固有の識別情報を読み出して制御部２６に出力する。なお、ビデオテープ固有の識別情報は、近距離無線通信に限らず他の方法で取得できる構成であってもよい。例えば識別情報をバーコード等で表示して、光学的に情報を読み取るようにしてもよい。さらに、情報の読み出しは非接触型に限らす接触型であってもよい。
【００２８】
制御部２６には操作部２７が接続されている。操作部２７には、電源スイッチや記録開始終了スイッチ、ビデオカメラ２０の動作設定等を行うための各操作スイッチが設けられている。操作部２７は、ユーザのスイッチ操作に応じた操作信号を生成して制御部２６に出力する。
【００２９】
制御部２６は、マイクロコンピュータ等を用いて構成されている。制御部２６は、ビデオカメラ２０の動作がユーザ操作に応じた動作となるように、操作部２７から供給された操作信号に基づき制御信号を生成して各部に供給する。また、制御部２６は、映像をビデオテープ８０に記録する場合、映像の記録開始前に、映像記録に関する情報を生成して出力処理部２３に供給してＨＤ−ＳＤＩ信号に多重させることで、多重された情報に基づきレコーダ３０で同期して映像を記録できるようにする。制御部２６は、映像記録に関する情報として映像の記録開始タイミング情報、例えば映像の記録開始までの期間を示す情報を多重する。また、制御部２６は、映像が記録される記録媒体に設定されている記録媒体固有の識別情報、例えば識別情報読出部２５で読み出されたテープ固有の識別情報を多重する。
【００３０】
＜３．レコーダの構成＞
図３はレコーダ３０の構成を示している。レコーダ３０は、入力処理部３１、記録処理部３２、制御部３３を有している。
【００３１】
入力処理部３１は、ビデオカメラ２０から出力されたＨＤ−ＳＤＩ信号に多重されている情報を抽出して制御部３３に出力する。また、ＨＤ−ＳＤＩ信号から映像のデータを抽出して記録処理部３２に出力する。
【００３２】
記録処理部３２は、制御部３３から供給された制御信号に基づき、入力処理部３１から供給された映像をメモリカード８５に記録する処理を行う。
【００３３】
制御部３３は、入力処理部３１で抽出された情報に基づいて生成した制御信号を記録処理部３２に供給することで、メモリカード８５に対する映像の記録を制御する。例えば、制御部３３は、入力処理部３１で抽出された情報に基づきメモリカード８５に映像を記録する準備を行い、その後ビデオカメラ２０におけるビデオテープ８０への映像の記録に同期させて、メモリカード８５に映像を記録させる。また、制御部３３は、抽出した情報に含まれているテープ固有の識別情報を、入力された映像に関連付けてメモリカード８５に記録させる。
【００３４】
＜４．映像データの記録動作＞
図４は、ビデオテープ８０とメモリカード８５に同期させて映像を記録する場合のビデオカメラ２０の動作、図５は、ビデオテープ８０とメモリカード８５に同期させて映像を記録する場合のレコーダ３０の動作を示すフローチャートである。なお、以下の説明では、ビデオカメラ２０からレコーダ３０に出力される信号をＨＤ−ＳＤＩ信号とする。
【００３５】
ビデオカメラ２０における操作部２７の記録スイッチが操作されると、ステップＳＴ１で制御部２６はＲＥＣコマンドを発行する。制御部２６は操作部２７からの操作信号に基づき記録開始操作が行われたことを検出したとき、テープ駆動部２４に対してＲＥＣコマンドを発行してステップＳＴ２に進む。
【００３６】
ステップＳＴ２でテープ駆動部２４は、テープ駆動動作を開始する。テープ駆動部２４は、ＲＥＣコマンドが発行されたことに応じて、ビデオテープ８０の駆動動作を開始する。また、テープ駆動部２４は、ビデオテープ８０が所定のテープ走行速度で駆動されているロック状態となったとき、ロック状態であることを示すロック通知を制御部２６に出力してステップＳＴ３に進む。
【００３７】
ステップＳＴ３で制御部２６は、記録開始タイミング情報を生成する。制御部２６は、ロック通知がテープ駆動部２４から供給されたことに応じて記録開始タイミング情報を生成する。制御部２６は、ビデオテープ８０が所定のテープ走行速度で駆動されているロック状態となったことから、ビデオテープ８０に対して映像の記録が可能であると判別して、記録開始タイミング情報を生成する。制御部２６は、記録開始タイミング情報として例えば何フレーム後に映像の記録を開始するかを示すカウントダウン初期値を生成する。
【００３８】
ステップＳＴ４で制御部２６は、記録開始動作制御を行う。制御部２６は、記録再生処理部２２の動作制御を行い、記録開始タイミング情報に基づくタイミングでビデオテープ８０に対する映像の記録を開始させる。また、制御部２６は、ビデオテープ８０に記録される映像と同期した映像をレコーダ３０でメモリカード８５に記録させるため、記録開始タイミング情報を出力処理部２３に供給して、出力処理部２３から出力するＨＤ−ＳＤＩ信号に多重させる。
【００３９】
制御部２６は、記録開始タイミング情報として上述のように何フレーム後に映像の記録を開始するかを示すカウントダウン値を生成する。この場合、制御部２６は、カウントダウン初期値からフレーム単位でカウントダウンを行い、カウントダウン値が「０」となるフレームから映像をビデオテープ８０に記録させる。また、出力処理部２３は、カウントダウン値をＨＤ−ＳＤＩ信号に多重させる。このように、ＨＤ−ＳＤＩ信号に映像記録開始までのフレーム数を示すカウントダウン値を多重すると、レコーダ３０では、カウントダウン値で示されたフレーム後に、映像がビデオテープ８０に記録されることを判別できる。したがって、レコーダ３０は、ビデオテープ８０に記録される映像と同期した映像をメモリカード８５に記録できるように記録準備を行うことができる。
【００４０】
ステップＳＴ５で制御部２６は、記録終了であるか判別する。制御部２６は、操作部２７からの操作信号に基づき記録終了操作が行われたことを検出した場合にステップＳＴ６に進み、記録終了操作が行われたことを検出していない場合にステップＳＴ５に戻る。
【００４１】
ステップＳＴ６で制御部２６は、ＳＴＯＰコマンドを発行する。制御部２６は、記録再生処理部２２や出力処理部２３およびテープ駆動部２４に対してＳＴＯＰコマンドを発行する。記録再生処理部２２は、ＳＴＯＰコマンドが発行されたことに応じてビデオテープ８０に対する映像の記録を停止する。例えば、ＳＴＯＰコマンドが発行された場合、次のフレームから映像の記録を停止する。テープ駆動部２４は、ビデオテープ８０に対する映像の記録の停止後に例えばテープ駆動を停止する。出力処理部２３は、ＳＴＯＰコマンドが発行されたことに応じて、メモリカード８５への映像の記録を終了させる記録終了情報をＨＤ−ＳＤＩ信号に多重させる。例えば、ＳＴＯＰコマンドが発行された場合、次のフレームの先頭に記録終了情報を多重させる。
【００４２】
図５のステップＳＴ１１で制御部３３は、多重されている情報を取得する。制御部３３は、入力処理部３１によってＨＤ−ＳＤＩ信号から抽出された情報を取得してステップＳＴ１２に進む。
【００４３】
ステップＳＴ１２で制御部３３は、抽出された情報に基づき記録準備を行う。制御部３３は、抽出された記録開始タイミング情報例えばカウントダウン初期値やカウントダウン値に基づき映像の記録準備を行いステップＳＴ１３に進む。
【００４４】
ステップＳＴ１３で制御部３３は記録動作を開始する。制御部３３は、記録開始タイミング情報に基づき記録処理部３２を制御して、ビデオカメラ２０におけるビデオテープ８０への映像の記録と同期させて、メモリカード８５に映像を記録する。例えば、制御部３３は、カウントダウン値が「０」となったフレームからメモリカード８５への映像の記録を開始してステップＳＴ１４に進む。
【００４５】
ステップＳＴ１４で制御部３３は記録終了であるか判別する。制御部３３は、抽出された情報が記録終了情報である場合にステップＳＴ１５に進み、記録終了情報でない場合はステップＳＴ１４に戻る。
【００４６】
ステップＳＴ１５で制御部３３は記録動作を終了する。制御部３３は記録処理部３２を制御してメモリカード８５への映像の記録を終了させる。
【００４７】
このように、ビデオカメラ２０においてビデオテープ８０に対する映像の記録開始前に、映像の記録開始タイミング情報が、ＨＤ−ＳＤＩ信号に多重されてレコーダ３０に供給される。したがって、レコーダ３０は、ビデオカメラ２０における映像の記録開始タイミングに合わせて記録の準備を行うことができる。さらに、レコーダ３０は、ビデオテープ８０に対する映像の記録が開始された場合、記録開始タイミング情報に基づき同期した映像をメモリカード８５に記録を行うことができる。また、ビデオテープ８０に対する映像の記録を終了する場合、レコーダ３０に対して記録終了情報が通知されるので、ビデオテープ８０に対する映像の記録の終了に同期させてメモリカード８５に対する映像の記録を終了させることができる。
【００４８】
次に、情報の伝送について説明する。なお、以下の説明は、ＨＤ−ＳＤＩ信号に多重される時間情報、例えばＶＩＴＣ(Vertical Interval Time Code)のユーザビット領域を使用して情報を伝送する場合である。
【００４９】
図６は、ＨＤ−ＳＤＩ信号の１ラインのブランキング期間を示している。図６の（Ａ）は輝度信号データ系列（Ｙデータ系列）におけるブランキング期間、図６の（Ｂ）は、色差信号データ系列（ＰＢ／ＰＲデータ系列）におけるブランキング期間を示している。なお、Ｙデータ系列およびＰＢ／ＰＲデータ系列の夫々を形成するワードデータは、例えば１０ビット構成とされている。
【００５０】
ブランキング期間では、４ワードからなるタイミング基準コードデータＥＡＶ(End of Active Video)、２ワードからなるライン番号データ、２ワードからなる誤り検出符号データ、２６８ワード分の補助データ／未定義領域、４ワードからなるタイミング基準コードデータＳＡＶ(SAV:Start of Active Video)が設けられている。また、輝度信号データ系列の補助データ／未定義領域に、時間情報のパケット（以下「時間情報パケット」という）が設けられる。
【００５１】
時間情報パケットの構造は、例えば図７に示す構造とされている。「ＡＤＦ(ancillary data flag word)」は、補助データフラグであり補助データパケットの開始を示している。「ＤＩＤ(data identification word)」と「ＳＤＩＤ(secondary data identification word)」は、データ識別フラグである。このＤＩＤあるいはＤＩＤとＳＤＩＤによって、補助データがどのような種類のデータであるかが示される。「ＤＣ(data count)」は、「ＵＤＷ(user data words)」のワード数を示すものである。「ＵＤＷ」は、伝送する情報を示すものであり、「ＵＤＷ」にＶＩＴＣが含められる。
【００５２】
図８は、ＳＭＰＴＥ−１２Ｍ規格に準拠したＶＩＴＣの構成を示している。ＶＩＴＣの第０ビット、第１ビット、第１０ビット、第１１ビットは第２０ビット、第２１ビット、第３０ビット、第３１ビット、第４０ビット、第４１ビット、第５０ビット、第５１ビット、第６０ビット、第６１ビット、第７０ビット、第７１ビット、第８０ビット、第８１ビットは同期ビットである。
【００５３】
第２〜第５ビットは、フレーム情報エリアでありフレームの「１」の位を示す。第１２，第１３ビットは、フレーム情報エリアでありフレームの「１０」の位を示す。第２２〜第２５ビットは、秒情報エリアであり秒の「１」の位を示す。第３２〜第３４ビットは、秒情報エリアであり秒の「１０」の位を示す。第４２〜第４５ビットは、分情報エリアであり分の「１」の位を示す。第５２〜第５４ビットは、分情報エリアであり分の「１０」の位を示す。第６２〜第６５ビットは、時間情報エリアであり時間の「１」の位を示す。第７２，第７３ビットは、時間情報エリアであり時間の「１０」の位を示す。また、第６〜第９ビット、第１６〜第１９ビット、第２６〜第２９ビット、第３６〜第３９ビット、第４６〜第４９ビット、第５６〜第５９ビット、第６６〜第６９ビット、第７６〜第７９ビットはユーザビット領域である。なお、第３５，第５５ビットは、フラグの領域である。
【００５４】
ビデオカメラ２０の出力処理部２３は、時間情報パケットのユーザビット領域に情報を多重する。多重する情報は、例えば「ＤＡＴＡ０」〜「ＤＡＴＡ４」とする。「ＤＡＴＡ０」の下位４ビットのデータは、第６〜第９ビットの領域、「ＤＡＴＡ０」の上位４ビットのデータは、第１６〜第１９ビットのユーザビット領域に多重される。「ＤＡＴＡ１」の下位４ビットのデータは、第２６〜第２９ビットのユーザビット領域、「ＤＡＴＡ１」の上位４ビットのデータは、第３６〜第３９ビットのユーザビット領域に多重される。「ＤＡＴＡ２」の下位４ビットのデータは、第４６〜第４９ビットのユーザビット領域、「ＤＡＴＡ２」の上位４ビットのデータは、第５６〜第５９ビットのユーザビット領域に多重される。「ＤＡＴＡ３」の下位４ビットのデータは、第６６〜第６９ビットのユーザビット領域、「ＤＡＴＡ３」の上位４ビットのデータは、第７６〜第７９ビットのユーザビット領域に多重される。
【００５５】
表１は、多重する情報の「ＤＡＴＡ０」〜「ＤＡＴＡ４」の構造を示している。「ＤＡＴＡ０」は情報データである。情報データでは、送信するデータの全長、コマンド、コマンドに対応するデータ、チェックサム等の情報が示される。「ＤＡＴＡ１」は、送信するデータの全長において、何番目のデータであるかが示される。「ＤＡＴＡ２」は、ビデオカメラ２０の動作および記録開始タイミング情報等が示される。なお「ＤＡＴＡ３」はリザーブ領域である。
【表１】
2012151795.tif 000003
【００５６】
表２は、「ＤＡＴＡ２」のビットアロケーションを例示している。「ＤＡＴＡ２」は、ビット５とビット４の２ビット分で動作状態を示している。ビデオカメラ２０で映像の記録が停止されている状態（IDLE）である場合、例えばビット５とビット４の２ビットは「１１（０ｘ３）」とする。ビデオカメラ２０が映像の記録状態（REC）である場合、例えばビット５とビット４の２ビットは「００（０ｘ０）」とする。また、映像の記録開始操作が行われてビデオカメラ２０が映像の記録を行うための準備状態（以下「記録シーケンス開始状態（SRS:Start Rec Sequence）」という）である場合、例えばビット５とビット４の２ビットは「０１（０ｘ１）」とする。さらに、ビット５とビット４の２ビットが「０１（０ｘ１）」である場合、ビット２〜ビット０の３ビットで示される値は、カウントダウン値であり、この値が示すフレーム後に映像の記録が開始されることを示している。
【表２】
2012151795.tif 000004
【００５７】
図９は、記録開始から記録終了までの「ＤＡＴＡ２」を例示している。制御部２６は、ビデオカメラ２０で映像の記録が停止されている状態である場合、「ＤＡＴＡ２」のビット５とビット４の２ビットを「１１（０ｘ３）」とする。また、制御部２６は、ビット２〜ビット０でカウントダウン初期値を示すものとする。例えばカウントダウン初期値を「７」とする場合、ビット２〜ビット０を「１１１（０ｘ７）」とする。
【００５８】
制御部２６は、映像の記録開始操作が行われて記録シーケンス開始状態である場合、「ＤＡＴＡ２」のビット５とビット４の２ビットは「０１（０ｘ１）」とする。また、テープ駆動等が同期した状態となるまでは映像の記録が開始されないことから、ビット２〜ビット０をカウントダウン初期値の状態とする。
【００５９】
その後、制御部２６は、テープ駆動が同期状態となり映像の記録が可能となった場合、カウントダウン値のカウントダウンを行う。また、制御部２６は、カウントダウン値が「０」となるフレームで「ＤＡＴＡ２」のビット５とビット４の２ビットを「００（０ｘ０）」として、ビデオテープ８０に対する映像の記録を開始させる。
【００６０】
また、制御部２６は、映像の記録終了操作が行われた場合、記録終了情報として「ＤＡＴＡ２」のビット５とビット４の２ビットを「１１（０ｘ３）」とする。
【００６１】
このように「ＤＡＴＡ２」を生成してＨＤ−ＳＤＩ信号に多重すれば、レコーダ３０は、「ＤＡＴＡ２」のビット２〜ビット０で示されるカウントダウン値によって、ビデオカメラ２０における映像の記録開始タイミングを把握できる。したがって、レコーダ３０は、ビデオカメラ２０における映像の記録開始タイミングに合わせて映像の記録準備を行うことができる。さらに、レコーダ３０は、カウントダウン値が「０」となるフレームで映像の記録を開始することにより、ビデオカメラ２０とレコーダ３０で同期して映像の記録を開始できる。
【００６２】
また、ビデオカメラ２０は、記録シーケンス開始状態である場合、「ＤＡＴＡ２」のビット５とビット４の２ビットを「０１（０ｘ１）」とする。レコーダ３０は、「ＤＡＴＡ２」のビット５とビット４の２ビットが「１１（０ｘ３）」から「０１（０ｘ１）」に変化したことにより、ビデオカメラ２０が記録シーケンス開始状態であることを判別できる。したがって、ビット２〜ビット０の情報だけでなく、「ＤＡＴＡ２」のビット５とビット４の情報によっても、ビデオカメラ２０で記録準備が行われていることを判別することができる。このため、レコーダ３０は、ビット２〜ビット０で示される期間よりも記録準備に長い期間を要する場合でも、「ＤＡＴＡ２」のビット５とビット４の情報によって記録準備を行い、ビデオカメラ２０での映像記録開始前に記録準備を終了できる。また、レコーダ３０は、「ＤＡＴＡ２」のビット５とビット４の情報とビット２〜ビット０の情報を用いることで、より確実にビデオカメラ２０に同期させて映像の記録を開始できる。
【００６３】
さらに、レコーダ３０は、「ＤＡＴＡ２」のビット５とビット４の２ビットが「００（０ｘ０）」から「１１（０ｘ３）」に変化したことにより、ビデオカメラ２０で映像の記録が終了されたことを判別できる。したがって、レコーダ３０は、ビデオカメラ２０における映像の記録終了に同期して、映像の記録を終了できる。
【００６４】
＜５．映像の他の記録動作＞
ところで、ビデオカメラ２０で用いられるビデオテープは着脱可能である。このため、ビデオテープ８０とメモリカード８５を関連付けて管理しないと、メモリカード８５に記録されている映像に基づいた編集リストに対応する映像素材がいずれのビデオテープに記録されているか容易に判別することができなくなってしまう。
【００６５】
そこで、映像の他の記録動作では、ビデオテープ８０に割り当てられているテープ固有の識別情報をＨＤ−ＳＤＩ信号に多重する場合について説明する。
【００６６】
図１０は、ビデオテープ８０の識別情報をＨＤ−ＳＤＩ信号に多重する場合のビデオカメラ２０の動作、図１１は、識別情報が多重されているＨＤ−ＳＤＩ信号を受信して映像の記録を行うレコーダ３０の動作を示すフローチャートである。
【００６７】
テープ駆動部２４によってビデオテープ８０がビデオカメラ２０に装着されたことが検出されると、ステップＳＴ２１で制御部２６は識別情報読み出し要求を行う。制御部２６はテープ駆動部２４からビデオテープ装着検出信号が供給されたとき、識別情報読出部２５に対して識別情報読み出し要求を行ってステップＳＴ２２に進む。識別情報読出部２５は、識別情報読み出し要求が供給されたことに応じて、ビデオテープ８０に設定されているテープ固有の識別情報の読み出しを行い、読み出した識別情報を制御部２６に出力する。
【００６８】
ステップＳＴ２２で制御部２６は、識別情報から時分割情報を生成する。制御部２６は、識別情報をＨＤ−ＳＤＩ信号に多重して伝送するため、識別情報から時分割情報を生成する。制御部２６は、例えば「ＤＡＴＡ０」によって識別情報を伝送できるように、識別情報から時分割情報を生成してステップＳＴ２３に進む。
【００６９】
ステップＳＴ２３で制御部２６は、生成した時分割情報を出力処理部に供給する。出力処理部２３は、制御部２６から供給された時分割情報を「ＤＡＴＡ０」のデータとして時間情報パケットのユーザビット領域に順に多重する。
【００７０】
図１１のステップＳＴ３１で制御部３３は、多重されている時分割情報を取得する。ＨＤ−ＳＤＩ信号に多重されている時分割情報は、入力処理部３１によって抽出される。制御部３３は、入力処理部３１によって抽出された時分割情報を取得してステップＳＴ３２に進む。
【００７１】
ステップＳＴ３２で制御部３３は、識別情報を映像と関連付けて記録する。制御部３３は、入力処理部３１で抽出された時分割情報から識別情報を復元する。さらに、制御部３３は、復元した識別情報を映像データと関連つけて記録することで、メモリカード８５に記録された映像が、いずれのビデオテープ８０に記録されているか判別できるようにする。
【００７２】
表３は、「ＤＡＴＡ０」「ＤＡＴＡ１」の構成を例示している。時分割情報を「ＤＡＴＡ０」のデータとする場合、「ＤＡＴＡ０」では、データ長、時分割情報がどのような情報であるか判別可能とする情報、時分割伝送情報、誤り検出符号等が示される。また、「ＤＡＴＡ１」では、「ＤＡＴＡ０」のデータが何番目のデータであるかが示される。
【表３】
2012151795.tif 000005
【００７３】
図１２は、識別情報を多重する場合の「ＤＡＴＡ０」「ＤＡＴＡ１」の具体例を示している。なお、図１２では、ビデオテープ８０にＴＥＬＥ−ＦＩＬＥ（商標）のラベルが設けられており、非接触通信で読み出した識別情報が「５２３０００１８７４」の場合である。制御部２６は、識別情報に基づき時分割情報を生成する。例えば、図１２に示すデータ長からチェックサムまでの情報を時分割情報として生成して出力処理部２３に出力する。
【００７４】
制御部２６は、識別情報を多重していない状態では、「ＤＡＴＡ０」「ＤＡＴＡ１」をそれぞれ「０ｘＦＦ」とする。
【００７５】
時分割情報の多重において、制御部２６は、最初に「ＤＡＴＡ０」を、データ長を示す情報（ＣＭＤ ＬＥＮ）とする。例えば時分割情報のデータ長が１１バイトである場合、ＣＭＤ ＬＥＮ＝「０ｘ０Ｂ」とする。また、最初のデータでは「ＤＡＴＡ１」を「０ｘ００」とする。したがって、「ＤＡＴＡ１」が「０ｘ００」から「０ｘ０Ａ」までの範囲で時分割情報が示されることになる。
【００７６】
制御部２６は、データ長の次のデータによって、時分割情報がいずれの情報であるか示す。例えばＴＥＬＥ−ＦＩＬＥの識別情報を伝送する場合、「ＤＡＴＡ０」はＳＥＴ ＣＭＤ１＝「０ｘ２２」、ＳＥＴ ＣＭＤ２＝「０ｘ８８」とする。
【００７７】
制御部２６は、時分割情報がいずれの情報であるかを示すデータの次のデータで、識別情報の開始を示す開始データと識別情報をビデオテープから読み出すことができたことを示すフラグを示す。制御部２６は、例えば「ＤＡＴＡ０」をＳＥＴ ＣＭＤ ＤＡＴＡ０＝「０ｘ０３」、Success to read TELE-FILE ID＝「０ｘ００」とする。
【００７８】
制御部２６は、開始データやフラグを示すデータの次データで、識別情報を示す時分割情報を示す。制御部２６は、例えば識別情報が「５２３０００１８７４」の場合、「ＤＡＴＡ０」をTelefile data 0＝「０ｘ５２」、Telefile data 1＝「０ｘ３０」、Telefile data 2＝「０ｘ００」、Telefile data 3＝「０ｘ１８」、Telefile data 4＝「０ｘ７４」とする。
【００７９】
また、制御部２６は、最後のデータでチェックサムを示す。なお、チェックサムは、例えば時分割情報の先頭であるデータ長を示す情報から最後のチェックサムまでの「ＤＡＴＡ０」の値の総和が「０」となる値とする。したがって、図１２に示すデータの場合、「ＤＡＴＡ０」は、checksum＝「０ｘ３Ａ」となる。
【００８０】
このように、ビデオカメラ２０においてビデオテープ８０に映像を記録する場合、レコーダ３０に対してテープ固有の識別情報が通知されるので、レコーダ３０で記録した映像が、いずれのビデオテープに記録されているか判別できるようになる。
【００８１】
＜６．映像の記録から終了までの動作シーケンス例＞
図１３は、映像の記録から終了までの動作シーケンスを例示している。時点ｔ1でビデオテープ８０がビデオカメラ２０に挿入される前は、記録動作が行われておらず、識別情報も取得されていない。したがって、制御部２６は、記録が停止されている状態であることを示す情報を出力処理部２３でＨＤ−ＳＤＩ信号に多重させる。すなわち制御部２６は、「ＤＡＴＡ２」のビット５とビット４の２ビットを「０ｘ０３」としてＨＤ−ＳＤＩ信号に多重させる。
【００８２】
時点ｔ1でビデオテープ８０がビデオカメラ２０に挿入されたことをテープ駆動部２４で検出した場合、テープ駆動部２４は、制御部２６に対して検出信号を出力する。
【００８３】
制御部２６は、検出信号が供給されたことによりビデオテープ８０の挿入を検出した場合、識別情報読出部２５に対して、挿入されたビデオテープ８０に設定されているテープ固有の識別情報の読み出し要求を行う。識別情報読出部２５は、ビデオテープ８０からテープ固有の識別情報を読み出して、読み出した識別情報を制御部２６に出力する。
【００８４】
制御部２６は、識別情報読出部２５から供給された識別情報に基づき、時分割情報を生成して、出力処理部２３に出力する。したがって、ＨＤ−ＳＤＩ信号には、図１２に示すように識別情報が多重される。なお、ビデオテープ８０が排出されるまで繰り返し識別情報を多重すれば、メモリカード８５に記録された映像の再生位置に係らず、速やかに識別情報を読み出すことが可能となる。また、制御部２６は、時分割情報を生成して出力処理部２３に供給する場合に、カウントダウン初期値（図では「ＣＮＴ＝７」）を設定して、映像の記録が停止されている状態（IDLE）であることを示す情報を出力処理部２３でＨＤ−ＳＤＩ信号に多重してもよい。
【００８５】
時点ｔ2でＲＥＣ操作が行われたことを制御部２６で検出した場合、制御部２６はＲＥＣコマンドをテープ駆動部２４に出力する。また、制御部２６は、記録シーケンス開始状態（SRS）であることを示す情報を出力処理部２３でＨＤ−ＳＤＩ信号に多重させる。すなわち制御部２６は、「ＤＡＴＡ２」におけるビット５とビット４の２ビットを「０１（０ｘ１）」としてＨＤ−ＳＤＩ信号に多重させる。テープ駆動部２４は、ＲＥＣコマンドが供給されたことに応じてテープ駆動動作を行う。また、テープ駆動部２４は、テープ速度が所定速度でロック状態となったとき、制御部２６に対してロック通知を出力する。
【００８６】
時点ｔ3で映像の記録が可能となってロック通知が出力された場合、制御部２６は、カウントダウン初期値からカウントダウン動作を開始する。なお、カウントダウン初期値は、カウントダウン動作を開始する際に設定してもよい。
【００８７】
時点ｔ4で制御部２６は、カウントダウン動作を行い、カウントダウン値を「ＣＮＴ＝７」から「ＣＮＴ＝６」に変更して、出力処理部２３でＨＤ−ＳＤＩ信号に多重させる。すなわち制御部２６は、「ＤＡＴＡ２」におけるビット２〜ビット０の３ビットを「１１０（０ｘ６）」としてＨＤ−ＳＤＩ信号に多重させる。
【００８８】
次のフレームである時点ｔ5で制御部２６は、カウントダウン動作を行い、カウントダウン値を「ＣＮＴ＝６」から「ＣＮＴ＝５」に変更して、出力処理部２３でＨＤ−ＳＤＩ信号に多重させる。すなわち制御部２６は、「ＤＡＴＡ２」におけるビット２〜ビット０の３ビットを「１０１（０ｘ５）」としてＨＤ−ＳＤＩ信号に多重させる。
【００８９】
制御部２６は、以下同様にカウントダウンを行い、カウントダウン値が「ＣＮＴ＝０」となる時点ｔ6のフレームで、「ＤＡＴＡ２」のビット５とビット４の２ビットを記録（REC)状態であることを示す「００（０ｘ０）」として、ＨＤ−ＳＤＩ信号に多重させる。また、制御部２６は、ビデオテープ８０に対する映像の記録を開始させる。
【００９０】
レコーダ３０は、ＨＤ−ＳＤＩ信号に多重されている情報によって、ビデオカメラ２０で映像の記録を行う準備が行われていることや、ビデオカメラ２０における映像の記録開始タイミングを判別できる。したがって、レコーダ３０は、ビデオカメラ２０における映像の記録開始前に、映像の記録準備を行うことができる。また、レコーダ３０は、「ＤＡＴＡ２」のビット５とビット４の２ビットが記録状態であることを示す「００（０ｘ０）」で、カウントダウン値が「ＣＮＴ＝０」となったとき映像の記録を開始する。したがって、レコーダ３０は、メモリカード８５にビデオテープ８０と等しいフレーム位置から映像を記録できる。
【００９１】
その後、時点ｔ7でＳＴＯＰ操作が行われたことを制御部２６で検出した場合、制御部２６は、記録再生処理部２２等の動作を制御して、次のフレームの開始である時点ｔ8以降の映像のビデオテープ８０への記録を停止させる。さらに、制御部２６は、記録が停止されている状態であることを示す情報とカウントダウン初期値をＨＤ−ＳＤＩ信号に多重させる。すなわち、制御部２６は、「ＤＡＴＡ２」のビット５とビット４の２ビットを「１１（０ｘ３）」、ビット２〜ビット０を「１１１（０ｘ７）」としてＨＤ−ＳＤＩ信号に多重させる。
【００９２】
レコーダ３０は、ＨＤ−ＳＤＩ信号に多重されている情報が記録状態であることを示す情報から記録が停止されている状態であることを示す情報に変更されたことを検出したとき映像の記録を停止する。したがって、ビデオテープ８０とメモリカード８５に対して、等しいフレーム位置で映像の記録を停止できる。
【００９３】
さらに、ＨＤ−ＳＤＩ信号には、ビデオテープ８０の識別情報が多重されているので、この情報を映像と関係付けて記録することで、メモリカード８５に記録された映像と等しい映像が、いずれのビデオテープ８０に記録されているか容易に判別できるようになる。したがって、編集装置６０は、編集装置５０で生成されたリストデータに基づき映像の選択や合成を行う場合、リストデータがいずれのビデオテープに記録された映像に対応しているか容易に判別することが可能となる。このため、編集装置５０と編集装置６０で並列に編集処理を行うようにしても、編集結果が正しく反映された映像データを生成できる。
【００９４】
以上、特定の実施例を参照しながら、本技術について詳解してきた。しかし、本技術の要旨を逸脱しない範囲で当業者が該実施例の修正や代用を成し得ることは自明である。例えば、上述の実施の形態では、ビデオテープとメモリカードに映像を記録する場合について説明したが、記録媒体は上述の記録媒体に限らず、ディスク状記録媒体等に映像を記録する場合であってもよい。また、ビデオカメラ２０から出力する信号はＨＤ−ＳＤＩ信号に限らず、他のフォーマットの信号例えばＳＤＩ信号等であってもよい。さらに、記録開始タイミング情報等の多重は、上述の実施の形態と異なる位置に多重してもよい。また、映像を記録する装置は、ビデオカメラとレコーダに限られるものでもない。上述の実施の形態は、例示の形態で本技術を開示しており、限定的に解釈されるべきではない。本技術の要旨を判断するためには、特許請求の範囲を参酌すべきである。
【産業上の利用可能性】
【００９５】
この技術を用いた映像記録装置と映像記録制御方法では、記録媒体への映像の記録と映像の出力を行う映像記録装置では、記録媒体に対する映像の記録開始前に、映像の記録開始タイミング情報が映像に多重して出力される。また、記録開始タイミング情報が多重された映像が入力される映像記録装置では、多重されている記録開始タイミング情報に基づき、映像を出力した装置における映像の記録動作と同期させて、入力された映像の記録媒体への記録が開始される。このため、映像を複数の装置で記録する際に、同期して映像を記録できるようになる。したがって、記録した映像の編集処理を並行して行う映像記録システム等で用いられる映像記録装置に適している。
【符号の説明】
【００９６】
１０・・・映像記録システム、２０・・・ビデオカメラ、２１・・・カメラ部、２２・・・ 記録再生処理部、２３・・・出力処理部、２４・・・テープ駆動部、２５・・・識別情報読出部、２６・・・制御部、２７・・・操作部、３０・・・レコーダ、３１・・・入力処理部、３２・・・記録処理部、３３・・・制御部、４０・・・ビデオテープレコーダ、５０，６０・・・編集装置、７０・・・ネットワーク、８０・・・ビデオテープ、８５・・・メモリカード
【図２】
2012151795.tif 000006
【図３】
2012151795.tif 000007
【図４】
2012151795.tif 000008
【図５】
2012151795.tif 000009
【図６】
2012151795.tif 000010
【図７】
2012151795.tif 000011
【図８】
2012151795.tif 000012
【図９】
2012151795.tif 000013
【図１０】
2012151795.tif 000014
【図１１】
2012151795.tif 000015
【図１２】
2012151795.tif 000016
【図１３】
2012151795.tif 000017
【図１】
2012151795.tif 000018